(57)【要約】【課題】従来の工具収納箱では、電動工具を横倒し状態で収納するため、その出し入れ操作が面倒であった。本発明では、収納、取り出し操作が楽である結果、作業中一時的な工具保管台としても機能させることができる工具収納箱を提供することを目的とする。【解決手段】工具本体１１の先端部側と、ハンドル部１２の後端部側を台座部３０に保持させた前傾姿勢で収納する構成とする。【選択図】図７
2009248262.tif 000002
【特許請求の範囲】
【請求項１】
工具本体と、該工具本体の側部から突き出すハンドル部を備えた手持ち式の工具を収納するための箱であって、
前記工具本体の先端部側と前記ハンドル部の後端部側を保持した前傾姿勢で前記工具を収納する箱。
【請求項２】
請求項１記載の工具収納箱であって、前記工具を収納する箱本体と、該箱本体を開閉する蓋を備え、前記箱本体に前記工具を前記前傾姿勢で収納した状態で前記蓋を閉止可能な工具収納箱。
【請求項３】
請求項２記載の工具収納箱であって、前記蓋は、ヒンジ部を介して前記箱本体に対して上下に回動させて開閉可能に支持されており、前記ヒンジ部に向かって前記工具を前記前傾姿勢で収納する工具収納箱。
【請求項４】
請求項１〜３のいずれか１項に記載した工具収納箱であって、前記工具本体若しくはハンドル部に、電源としてのバッテリパックを装着した状態で収納可能な工具収納箱。
【請求項５】
請求項４記載の工具収納箱であって、前記バッテリパックを充電するための充電器を併せて収納可能な工具収納箱。
【請求項６】
請求項５記載の工具収納箱であって、前記充電器に対して両側に工具を収納可能な工具収納箱。
【発明の詳細な説明】
【技術分野】
【０００１】
この発明は、例えば電動ドライバ等の手持ち工具を収納しておくための箱（ツールボックス）に関する。
【背景技術】
【０００２】
この種の工具収納箱は、工具本体やこれに装着するバッテリパック及び充電器等を収納する箱本体と、この箱本体を開閉する蓋を備えたもので、通常、持ち運び用の取っ手が取り付けられている。
下記の特許文献には、この種の工具収納箱に関する様々な技術が開示されている。特許文献１には、充電式の電動工具を収納するための工具箱において、工具本体とこれから取り外したバッテリパックをがたつきなく収納しておくための技術が開示されている。特許文献２には、電気丸のこを収納するための工具箱であって、丸のこ本体とこれから取り外したのこ刃をコンパクトに収納するための技術が開示されている。また、特許文献３には、外形や大きさが異なる種々形態の工具本体を収納可能とするための技術が開示されている。
【特許文献１】特許第３９１６９６２号公報
【特許文献２】実開昭６２−１９１８３号公報
【特許文献３】実開平５−３９８７９号公報
【発明の開示】
【発明が解決しようとする課題】
【０００３】
しかしながら、これら従来の工具収納箱は、作業終了後に工具本体を使用しないことを前提として収納するもので、作業途中に頻繁に取り出したり、収納したりする場合を想定したものではなかった。このため、従来の工具収納箱は、工具を横に倒した横倒し姿勢で収納する構成となっており、作業途中に一時的に工具を置いておく場合には、横倒し姿勢から作業姿勢、あるいはその逆に一旦持ち替える必要があるため使い勝手がよくなく、この点で従来の工具収納箱には改善の余地があった。
そこで、本発明は、作業終了後には工具を収納しておくための工具箱であって、作業中には工具を頻繁に取り出したり、一時的に置いておく工具保管台として機能する多機能な工具収納箱を提供することを目的とする。
【課題を解決するための手段】
【０００４】
このため、本発明は、特許請求の範囲の各請求項に記載した構成の工具収納箱とした。
請求項１記載の工具収納箱によれば、工具が前傾姿勢で収納されることによりハンドル部の背面側が使用者側へ向けられた把持しやすい状態となっていることから、これを取り出す際に使用者が迅速にハンドル部を把持して箱から取り出すことができる。しかも、使用者はハンドル部の背面側斜め上方から手を伸ばして把持することにより、箱から取り出した後、持ち替えることなくそのままで当該工具を使用することができる。また、逆に当該工具を使用後、ハンドル部を把持したまま持ち替えることなく、箱に収納することができる。
このように、従来のような横倒し姿勢ではなく、作業時の把持姿勢（作業姿勢）とほぼ同じ前傾姿勢に立てた状態で収納する構成であるので、作業姿勢から持ち替えることなく箱に収納し、逆に箱から取り出してそのまま作業を行うことができるので、当該工具収納箱を作業途中に工具を一時的に保管しておくための工具保管台として機能させることができる。
請求項２記載の工具収納箱によれば、工具を前傾姿勢で収納して蓋を閉じておくことにより、当該工具収納箱を楽に持ち運ぶことができる。
請求項３記載の工具収納箱によれば、蓋を上方へ開放した状態に保持しておくことにより、箱本体を工具保管台として機能させることができる。工具本体は蓋を前方に位置させる向きで前傾姿勢で収納されるので、蓋とは反対側から使用者は工具を作業姿勢のまま持ち替えることなく収納することができ、逆にハンドル部を把持して箱本体から取り出し、その後持ち替えることなく当該工具を使用することができる。
請求項４記載の工具収納箱によれば、工具がバッテリパックを電源とする電動工具である場合に、上記と同様の作用効果を得ることができる。
請求項５記載の工具収納箱によれば、工具がバッテリパックを電源とする電動工具である場合に、このバッテリパックを充電するための充電器をも収納しておくことができるので、当該バッテリを充電する場合に充電器を探す手間をかける必要がなく、迅速に充電作業を行うことができて便利である。
請求項６記載の工具収納箱によれば、２台の工具が充電器を間にして適度な間隔をおいて収納されるので、いずれか一方の工具を把持して取り出す場合、逆に収納する場合に、他方の工具に干渉させることなく楽に取り出し、収納することができ、ひいては当該工具収納箱の使い勝手を高めることができる。
【発明を実施するための最良の形態】
【０００５】
次に、本発明の実施形態を図１〜図７に基づいて説明する。図１〜図３は、本実施形態に係る工具収納箱１の全体を示している。この工具収納箱１は、いずれもアルミニウム製の箱本体２とこれを開閉する蓋３を備えている。図１に示すように当該工具収納箱１に対して右側に使用者が位置する。以下の説明では、使用者が位置する側を当該工具収納箱１の正面側若しくは手前側とし、その反対側を奥側若しくは後部とする。
箱本体２は、十分な深さを有する上方開放の箱で、使用者側の正面壁部２ａと、使用者から見て左側の左側壁部２ｂと、使用者から見て右側の右側壁部２ｃと、使用者から見て奥側の奥壁部２ｄと、底部（図２では台座部３０に隠れている）を備えている。奥壁部２ｄの上部に、左右一対のヒンジ部４，４を介して蓋３が上下に開閉可能に支持されている。蓋３は、その正面側に設けた左右一対の錠５，５によって箱本体２を閉じた状態にロックされる。箱本体２の正面壁部２ａの上部には、使用者が当該工具収納箱１を持ち運ぶ際に把持する取っ手６が設けられている。
図２に示すように箱本体２には、適度なクッション性を有する発泡ウレタン製の台座部３０が収容されている。図４〜図６にはこの台座部３０が単体で示されている。この台座部３０上に、２機の電動工具１０，１０と１機の充電器２０を収納することができる。本実施形態に係る工具収納箱１は、主として２機の電動工具１０，１０の収納姿勢に大きな特徴を有している。
【０００６】
収納可能な２機の電動工具１０，１０は、いずれも手持ち式の電動ドライバで、それぞれ概ね円柱体形を有する工具本体１１と、この工具本体１１から側方へ突き出す状態にハンドル部１２を備えている。工具本体１１の先端にドライバビット等の先端刃具１３が装着されている。ハンドル部１２の後端部には、バッテリパック１４が装着されている。ハンドル部１２の基部には、使用者が指先で引き操作するトリガ形式のスイッチレバー１５が配置されている。このスイッチレバー１５を引き操作すると、バッテリパック１４を電源として工具本体１１に内装した電動モータが起動して先端工具が回転する。
使用者はハンドル部１２を把持して、工具本体１１の先端部側（先端刃具１３）を前方にした向きで当該電動工具１０を持ち、この状態でスイッチレバー１５を引き操作して孔明け等の作業を行う。電動工具１０自体については、従来構成のものをそのまま用いることができ、本実施形態において特に変更を要しない。図では、この電動工具１０が簡略化して示されている。
【０００７】
図１に示すように使用者は工具収納箱１の右側（正面側）に位置して、図中白抜きの矢印で示すように正面斜め上方から電動工具１０を出し入れする。このため、使用者は工具収納箱１の正面側において電動工具１０をその作業姿勢のまま持ち替えることなくそのまま箱本体２に進入させて前傾姿勢に立てた状態で収納することができる。
図２に示すように２機の電動工具１０，１０は、１機の充電器２０を間にして左右に並列に収納される。充電器２０は、従来通りの矩形の箱体をなすもので、本実施形態において特に変更を要しない。この充電器２０を間にして２機の電動工具１０，１０が適度な間隔をおいて箱本体２内に左右並列に収納されている。両電動工具１０，１０は、それぞれ工具本体１１の機長方向（長手方向）を蓋３の開閉方向に沿わせた向きで前傾姿勢に収納されている。
すなわち、両電動工具１０，１０は、それぞれ工具本体１１の先端部側とハンドル部１２の後端部側（バッテリパック１４）をそれぞれ台座部３０に保持させて当該工具本体１１の後部側を台座部３０から斜め上方へ突き出した姿勢（前傾姿勢）で収納される。箱本体２の奥部に工具本体１１の先端部側が保持され、手前側にハンドル部１２の後端部側が保持されて、使用者が作業時に把持した姿勢（作業姿勢）とほぼ同じ前傾姿勢に立てた状態で収納されている。図７に電動工具１０が前傾姿勢で台座部３０上に収納された状態が示されている。
台座部３０の上面には、左右一対の本体先端保持部３１，３１と、左右一対のハンドル後端保持部３２，３２がそれぞれ一体に設けられている。台座部３０の上面左右側部において、それぞれ本体先端保持部３１とハンドル後端保持部３２との間に跨って起立した姿勢で当該電動工具１０が保持される。
【０００８】
図４〜図７に示すように両本体先端保持部３１，３１は、それぞれ台座部３０の上面から盛り上がる状態に設けられており、奥側ほど高くなる方向に傾斜した保持傾斜面３１ａと、工具本体１１の先端部を嵌め込む嵌め込み凹部３１ｂを備えている。保持傾斜面３１ａに工具本体１１の先端部が当接され、嵌め込み凹部３１ｂ内に主としてスピンドルが嵌め込まれて当該電動工具１０が前傾姿勢に保持される。
両本体先端保持部３１，３１の手前側であって、当該台座部３０の手前側先端部に、それぞれハンドル後端保持部３２が設けられている。両ハンドル後端保持部３２は、手前側ほど深くなる方向に傾斜したＶ字形のハンドル保持溝３２ａと、主としてバッテリパック１４を嵌め込むための嵌め込み凹部３２ｂを備えている。
図７に示すようにハンドル保持溝３２ａ内にハンドル部１２を嵌め込み、主としてバッテリパック１４を嵌め込み凹部３２ｂ内に進入させた斜め起立状態で当該ハンドル部１２がこのハンドル後端保持部３２に保持されている。
このように、工具本体１１の先端部（スピンドル）が本体先端保持部３１の嵌め込み凹部３１ｂ内に嵌め込まれ、ハンドル部１２の後端部（バッテリパッ１４）がハンドル後端保持部３２のハンドル保持溝３２ａ内に嵌め込まれることにより、当該電動工具１０が側方へ倒れることなく、前傾姿勢で起立した状態に保持される。
また、両本体先端保持部３１，３１の奥側であって、当該台座部３０の奥側端部（図７において左端部）には、それぞれ収納した電動工具１０の先端刃具１３の主として先端側を収容する刃具逃がし凹部３３が設けられている。
図２に示すように台座部３０の上面中央には、充電器２０の四つの脚部を進入させて当該充電器２０の横方向（台座部３０の上面に沿った方向）への位置ずれを防止するための保持孔３４〜３４が設けられている。本実施形態では、各保持孔３４は浅く、かつ種々サイズの充電器に対応させるため比較的大径に形成されている。
【０００９】
以上のように構成した本実施形態の工具収納箱１によれば、概ね円柱体形の工具本体１１に対して側方へ突き出す状態にハンドル部１２を備えた電動工具１０，１０をそれぞれ通常作業時の作業姿勢からやや前傾させた前傾姿勢で収納しておくことができる。この前傾姿勢では、工具本体１１の後部（使用者から見て手前側の端部）が高くなる方向に傾斜し、ハンドル部１２の基部側が高くなる方向に傾斜している。このため、使用者から見て手前側にハンドル部１２が斜めに起立した把持しやすい状態で位置することなり、これにより使用者は箱本体２に対して迅速かつ楽に電動工具１０を出し入れすることができる。
これに対して、従来この種の電動工具は、例えば平坦な作業台上に横に倒した姿勢で置く場合と同じ横倒し姿勢で収納する構成となっていた。この横倒し姿勢で台座部に嵌め込むようにして収納する構成であったので、ハンドル部を把持して取り出す際に手間がかかる。この点上記のように電動工具１０が前傾姿勢に立てた状態で収納されて、そのハンドル部１２を使用者に向けた状態で収納されることにより、使用者は作業後ほぼそのままの姿勢で収納することができる。また、取り出す場合には、ハンドル部１２を迅速かつ楽に把持して、そのまま斜め上方へ引き出せば、手を持ち替えたりすることなくそのままの姿勢で作業を行うことができる。
【００１０】
このように使用者は通常の作業時と同じ姿勢で把持したまま、電動工具１０を収納しておくことができるので、孔開け作業時等において一時的に電動工具１０を保管しておくための工具保管台として利用することができる。
また、前傾姿勢に収納することから、当該工具収納箱１の正面側に位置する使用者は、前方斜め下方に向かって電動工具１０を移動させることにより収納し、逆に取り出しすることができるので、使用者は腕を窮屈な向きに屈伸させることなく楽な姿勢で電動工具１０の収納、取り出しを行うことができる。
さらに、本実施形態の場合、２機の電動工具１０，１０が、バッテリパック１４の充電器２０を間にして並列に収納され、相互に適度な間隔をおいて収納されることから、収納する際及び取り出す際に相互に干渉することがなく、また一方の電動工具１０を把持した使用者の手に他方の電動工具１０が触れることがないことから、当該電動工具１０の収納、取り出し操作を迅速かつ楽に行うことができる。
また、ハンドル部１２を台座部３０の上面から単に直立させた起立状態ではなく、工具本体１１の先端側を低くする方向に傾斜させた前傾姿勢で収納される構成であるので、高さを低くした状態で収納することができる。
【００１１】
以上説明した実施形態には種々変更を加えることができる。例えば、収納可能な工具として、電動ドライバを例示したが、電動ねじ締め機等その他の電動工具についても適用可能であり、さらに充電式のバッテリパックを電源とする電動工具に限らず、交流電源を電源とする電動工具にも適用可能である。また、電動工具に限らず、エア工具を収容する場合にも適用可能である。
さらに、例示した実施形態では、適度なクッション性を有する台座部３０を例示したが、金属製、硬質樹脂製あるいは木製の台座部としてもよい。
【図面の簡単な説明】
【００１２】
【図１】本発明の実施形態に係る工具収納箱の全体側面図である。本図は、蓋を開けて電動工具を収納し、又は取り出す状態を示している。
【図２】箱本体を、図１中矢印(F2)方向から見た平面図である。本図では、２機の電動工具が収納された状態を示している。本図では、２機の電動工具及び充電器が二点鎖線で示されている。本図では、開けられた蓋の図示が省略されている。
【図３】蓋を閉じた状態の工具収納箱の正面図である。
【図４】台座部単体の平面図である。
【図５】台座部単体を図４中矢印（F5)から見た正面図である。
【図６】台座部単体を図４中矢印（F6)から見た側面図である。
【図７】台座部に対して工具が前傾姿勢で収納された状態を示す側面図である。本図では、台座部が縦断面で示され、箱本体部及び蓋が二点鎖線で示されている。
【符号の説明】
【００１３】
１…工具収納箱
２…箱本体
３…蓋
４…ヒンジ部
５…錠
６…取っ手
１０…電動工具
１１…工具本体
１２…ハンドル部
１３…先端刃具
１４…バッテリパック
１５…スイッチレバー
２０…充電器
３０…台座部
３１…本体先端保持部
３１ａ…保持傾斜面、３１ｂ…嵌め込み凹部
３２…ハンドル後端保持部
３２ａ…保持傾斜面、３２ｂ…嵌め込み凹部
３３…刃具逃がし凹部
３４…保持孔
【図１】
2009248262.tif 000003
【図２】
2009248262.tif 000004
【図３】
2009248262.tif 000005
【図４】
2009248262.tif 000006
【図５】
2009248262.tif 000007
【図６】
2009248262.tif 000008
【図７】
2009248262.tif 000009